(57)【特許請求の範囲】
【請求項１】
表示画面に情報を移動させながら表示する情報表示装置であって、
配信装置と通信を行う通信装置と、
前記配信装置から配信される複数の情報を記憶する記憶装置と、
前記表示画面の一方の表示端から他方の表示端へ所定の移動速度で、前記複数の情報の各々を繰り返し表示させるスクロール表示処理と、
前記複数の情報の各々の所定巡目のスクロール表示時に、前記所定巡目以前の情報とは異なる情報を記憶装置より読み出して前記所定巡目以前の情報と入れ替えて表示する、表示変更処理を実行する演算装置と、入力インターフェイスとを備え、
前記表示変更処理は、前記スクロール表示時における所定の指示を前記入力インターフェイスから受け付けた際に、前記の情報を前記所定の指示以前のものと異なる情報と入れ替えて表示する処理である、
ことを特徴とする情報表示装置。
【請求項２】
前記所定の指示は、前記スクロール表示時における表示巻き戻し指示であり、
前記表示変更処理は、前記表示巻き戻し指示を入力インターフェイスから受け付けた際に、巻き戻し先の情報を前記表示巻き戻し指示以前のものと異なる情報と入れ替えて表示する処理であることを特徴とする請求項１に記載の情報表示装置。
【請求項３】
前記所定の指示は、前記スクロール表示時における、ある情報に対する詳細情報表示指示であり、
前記表示変更処理は、前記詳細情報表示指示を入力インターフェイスから受け付けた際に、前記の情報を前記詳細情報表示指示以前のものと異なる情報と入れ替えて表示する処理であることを特徴とする請求項１に記載の情報表示装置。
【請求項４】
前記表示変更処理は、前記スクロール表示時における前記表示巻き戻し指示または前記詳細情報表示指示を入力インターフェイスから受け付ける前に、前記スクロール表示の一時停止指示を入力インターフェイスから受け付けている場合、前記所定巡目以前の情報とは異なる情報として前記所定巡目以前の情報の詳細情報を記憶装置より読み出す処理であることを特徴とする請求項２または３に記載の情報表示装置。
【請求項５】
前記表示変更処理は、前記所定巡目以前の情報とは異なる情報を記憶装置より読み出す際に、前記所定巡目以前の情報と対応付けされた情報を前記異なる情報として読み出す処理であることを特徴とする請求項２〜４のいずれかに記載の情報表示装置。
【請求項６】
前記記憶装置に格納されている前記情報のうち互いに対応付けされている情報らは、スクロール表示の所定巡目に表示する情報から前記異なる情報へ入れ替える度に詳細度を高めるべく互いに対応付けしたものであり、
前記表示変更処理は、前記表示巻き戻し指示、前記詳細情報表示指示、および前記一時停止指示のいずれかを入力インターフェイスから受け付けた頻度をカウントし、前記所定巡目以前の情報とは異なる情報を記憶装置より読み出す際に、前記頻度に応じた詳細度の情報を前記異なる情報として読み出す処理であることを特徴とする請求項５に記載の情報表示装置。
【請求項７】
前記表示変更処理は、前記異なる情報を前記所定巡目以前の情報の少なくとも前後いずれかに追加表示する処理であることを特徴とする請求項１〜６のいずれかに記載の情報表示装置。
【請求項８】
前記表示画面に表示された前記複数の情報の各々についてその一端が前記他方の表示端に到着したことを検知する検知処理と、
前記到着が検知された場合、前記複数の情報の各々を、前記所定の移動速度から変化させた移動速度で表示させる速度変更処理と、を前記演算装置が実行することを特徴とする請求項１〜７のいずれかに記載の情報表示装置。
【請求項９】
表示画面に情報を移動させながら表示するコンピュータが、
配信装置と通信を行う通信装置と、前記配信装置から配信される複数の情報を記憶する記憶装置と、演算装置と、入力インターフェイスとを備えて、
前記表示画面の一方の表示端から他方の表示端へ所定の移動速度で、前記複数の情報の各々を繰り返し表示させる処理と、
前記複数の情報の各々の所定巡目のスクロール表示時に、前記所定巡目以前の情報とは異なる情報を記憶装置より読み出して前記所定巡目以前の情報と入れ替えて表示する処理と、
前記スクロール表示時に、前記入力インターフェイスから所定の指示を受け付けた際、前記の情報を前記所定の指示以前のものと異なる情報と入れ替えて表示する処理と、
を実行することを特徴とする情報表示方法。
【請求項１０】
配信装置と通信を行う通信装置と、前記配信装置から配信される複数の情報を記憶する記憶装置と、演算装置と、入力インターフェイスとを備えるコンピュータに、
前記表示画面の一方の表示端から他方の表示端へ所定の移動速度で、前記複数の情報の各々を繰り返し表示させる処理と、
前記複数の情報の各々の所定巡目のスクロール表示時に、前記所定巡目以前の情報とは異なる情報を記憶装置より読み出して前記所定巡目以前の情報と入れ替えて表示する処理と、
前記スクロール表示時に、前記入力インターフェイスから所定の指示を受け付けた際、前記の情報を前記所定の指示以前のものと異なる情報と入れ替えて表示する処理と、
を実行させる情報表示プログラム。
【発明の詳細な説明】
【技術分野】
【０００１】
本発明は、情報表示装置、情報表示方法、情報表示プログラムに関し、具体的には、とする技術に関する。
【背景技術】
【０００２】
デジタルコンテンツをディスプレイ等において移動させながら表示させる技術として、例えば、表示画面に表示されたデジタルコンテンツの一端が他方の表示端に到着した場合に、デジタルコンテンツのスクロールの速度を遅くさせる制御を行う情報表示装置（特許文献１参照）などが提案されている。
【特許文献１】特許第３８８５０８５号公報
【発明の開示】
【発明が解決しようとする課題】
【０００３】
ところで、デジタルコンテンツをディスプレイ等で表示させる中で他のコンテンツとして広告情報を含ませることがよくある。この広告情報は、広告主からすればユーザへの露出頻度が高まると喜ばしい一方で、ユーザからすれば、あまりに過度の表示量は敬遠したがる性質のものと言える。しかしながら、コンテンツ中に広告を挿入できる枠はある程度固定化されているのが普通であるから、広告の露出頻度を高めたい広告主は所望の露出頻度を確保できるだけの広告枠を用意する必要があった。また他方で、広告枠が固定的であり、ユーザのリアルタイムな希望に即した広告情報の閲覧を可能にする技術は提供されていなかった。つまり、広告露出量を確保するために高頻度で広告情報を表示させると、その結果、ユーザには該当広告自体を敬遠される惧れがあり、更に、そうして表示される広告情報が必ずしもユーザの望むものではないという悪循環に陥り、デジタルコンテンツ配信自体のサービス低下につながる懸念もあった。
【０００４】
そこで、本発明は上記課題を鑑みてなされたものであり、広告等のコンテンツの露出量維持とユーザの良好な利便性とを両立する技術の提供を目的とする。
【課題を解決するための手段】
【０００５】
本発明の情報表示装置は、表示画面に情報を移動させながら表示する情報表示装置であって、配信装置と通信を行う通信装置と、前記配信装置から配信される複数の情報を記憶する記憶装置と、前記表示画面の一方の表示端から他方の表示端へ所定の移動速度で、前記複数の情報の各々を繰り返し表示させるスクロール表示処理と、前記複数の情報の各々の所定巡目のスクロール表示時に、前記所定巡目以前の情報とは異なる情報を記憶装置より読み出して前記所定巡目以前の情報と入れ替えて表示する、表示変更処理を実行する演算装置と、入力インターフェイスとを備え、前記表示変更処理は、前記スクロール表示時における所定の指示を前記入力インターフェイスから受け付けた際に、前記の情報を前記所定の指示以前のものと異なる情報と入れ替えて表示する処理である、ことを特徴とする。
【０００６】
前記情報表示装置において、前記所定の指示は、前記スクロール表示時における表示巻き戻し指示であり、前記表示変更処理は、前記表示巻き戻し指示を入力インターフェイスから受け付けた際に、巻き戻し先の情報を前記表示巻き戻し指示以前のものと異なる情報と入れ替えて表示する処理であるとしてもよい。
【０００７】
前記情報表示装置においては、前記所定の指示は、前記スクロール表示時における、ある情報に対する詳細情報表示指示であり、前記表示変更処理は、前記詳細情報表示指示を入力インターフェイスから受け付けた際に、前記の情報を前記詳細情報表示指示以前のものと異なる情報と入れ替えて表示する処理であるとしてもよい。
【０００８】
また、前記情報表示装置において、前記表示変更処理は、前記スクロール表示時における前記表示巻き戻し指示または前記詳細情報表示指示を入力インターフェイスから受け付ける前に、前記スクロール表示の一時停止指示を入力インターフェイスから受け付けている場合、前記所定巡目以前の情報とは異なる情報として前記所定巡目以前の情報の詳細情報を記憶装置より読み出す処理であるとしてもよい。
【０００９】
また、前記情報表示装置において、前記表示変更処理は、前記所定巡目以前の情報とは異なる情報を記憶装置より読み出す際に、前記所定巡目以前の情報と対応付けされた情報を前記異なる情報として読み出す処理であるとしてもよい。
【００１０】
また、前記情報表示装置において、前記記憶装置に格納されている前記情報のうち互いに対応付けされている情報らは、スクロール表示の所定巡目に表示する情報から前記異なる情報へ入れ替える度に詳細度を高めるべく互いに対応付けしたものであり、前記表示変更処理は、前記表示巻き戻し指示、前記詳細情報表示指示、および前記一時停止指示のいずれかを入力インターフェイスから受け付けた頻度をカウントし、前記所定巡目以前の情報とは異なる情報を記憶装置より読み出す際に、前記頻度に応じた詳細度の情報を前記異なる情報として読み出す処理であるとしてもよい。
【００１１】
また、前記情報表示装置において、前記表示変更処理は、前記異なる情報を前記所定巡目以前の情報の少なくとも前後いずれかに追加表示する処理であるとしてもよい。
【００１２】
また、前記情報表示装置において、前記表示画面に表示された前記複数の情報の各々についてその一端が前記他方の表示端に到着したことを検知する検知処理と、前記到着が検知された場合、前記複数の情報の各々を、前記所定の移動速度から変化させた移動速度で表示させる速度変更処理と、を前記演算装置が実行するとしてもよい。
【００１３】
また、本発明の情報表示方法は、表示画面に情報を移動させながら表示するコンピュータが、配信装置と通信を行う通信装置と、前記配信装置から配信される複数の情報を記憶する記憶装置と、演算装置と、入力インターフェイスとを備えて、前記表示画面の一方の表示端から他方の表示端へ所定の移動速度で、前記複数の情報の各々を繰り返し表示させる処理と、前記複数の情報の各々の所定巡目のスクロール表示時に、前記所定巡目以前の情報とは異なる情報を記憶装置より読み出して前記所定巡目以前の情報と入れ替えて表示する処理と、前記スクロール表示時に、前記入力インターフェイスから所定の指示を受け付けた際、前記の情報を前記所定の指示以前のものと異なる情報と入れ替えて表示する処理と、を実行することを特徴とする。
【００１４】
また、本発明の情報表示プログラムは、配信装置と通信を行う通信装置と、前記配信装置から配信される複数の情報を記憶する記憶装置と、演算装置と、入力インターフェイスとを備えるコンピュータに、前記表示画面の一方の表示端から他方の表示端へ所定の移動速度で、前記複数の情報の各々を繰り返し表示させる処理と、前記複数の情報の各々の所定巡目のスクロール表示時に、前記所定巡目以前の情報とは異なる情報を記憶装置より読み出して前記所定巡目以前の情報と入れ替えて表示する処理と、前記スクロール表示時に、前記入力インターフェイスから所定の指示を受け付けた際、前記の情報を前記所定の指示以前のものと異なる情報と入れ替えて表示する処理と、を実行させることを特徴とする。
【００１５】
その他、本願が開示する課題、及びその解決方法は、発明の実施の形態の欄、及び図面により明らかにされる。
【発明の効果】
【００１６】
本発明によれば、広告等のコンテンツの露出量維持とユーザの良好な利便性とを両立できる。
【発明を実施するための最良の形態】
【００１７】
−−−システム構成−−−
以下に本発明の実施形態について図面を用いて詳細に説明する。図１は本実施形態における情報表示装置１００を含むネットワーク構成図である。本実施形態における情報表示装置１００（以下、装置１００）は、例えば携帯電話機などの携帯端末を想定する。この装置１００は、コンテンツサーバなどの配信装置２００からデジタルコンテンツなどの情報を所望の時間帯に受信して一旦記憶装置に格納しておき、これを適宜なタイミングで表示画面にて移動させながら表示するものである。この時、例えば、新たなデジタルコンテンツを前記配信装置２００から受信しない間は、装置１００は、自身が保持するデジタルコンテンツを繰り返し、つまりサイクリックに表示する。
【００１８】
このイメージとしては図１０に示すとおり、例えば、３つの番組からなるデジタルコンテンツ群１〜２を情報表示装置１００が保持しており、前記デジタルコンテンツ群１〜２のスクロール表示を、次なる新たなデジタルコンテンツ群の受信まで１巡目、２巡目・・・と繰り返す。このデジタルコンテンツ群１〜２のスクロール表示の間には広告（デジタルコンテンツの一種）を挟み込んで表示させるが、本実施形態では前記広告を、スクロール表示の所定巡回数の到来や或いは所定指示の入力受付を契機として異なる広告に変更等する処理を実現する。
【００１９】
デジタルコンテンツとしては、上記のように利用者が所望の番組データと、この番組に付帯させるべく広告主から依頼を受けている広告データとが一例として想定できる。しかしながら、番組データの入れ替え（や追加）を行う場合と広告データの入れ替え（や追加）を行う場合のいずれか一方、あるいはその組合せを想定しても良い。
【００２０】
こうした前記装置１００は、本発明の情報表示方法を実行する機能を実現すべく不揮発性メモリなどの記憶装置１０１に格納されているプログラム１０２を、揮発性メモリなどのメモリ１０３に読み出して演算装置たるＣＰＵ１０４により実行する。
【００２１】
また、前記装置１００は、携帯電話機が一般に備えている各種ボタン類といった入力インターフェイス１０５や、表示画面を提供するディスプレイなどの出力インターフェイス１０６、ならびに前記配信装置２００などとの間のデータ授受を担う通信装置１０７などを有している。装置１００は、前記通信装置１０７により、配信装置２００と例えば携帯電話網などの各種のネットワーク１４０を介して接続し、前記ディスプレイで表示するための情報（以下、デジタルコンテンツ）のデータ授受を実行する。
【００２２】
続いて、前記装置１００が例えばプログラム１０２に基づき構成・保持する機能部につき説明を行う。なお、前記装置１００は、記憶装置１０１において、前記配信装置２００から配信されるデジタルコンテンツを記憶するコンテンツデータベース１２５と、デジタルコンテンツ間の関連性と詳細度の情報を格納した関連性データベース１２６を利用可能である。
【００２３】
こうした前記装置１００は、前記表示画面１０６の一方の表示端１０６ａから他方の表示端１０６ｂへ所定の移動速度で、前記複数の情報たるデジタルコンテンツ１０の各々を繰り返し表示させるスクロール表示処理部１１０を備える。
【００２４】
また、前記装置１００は、前記複数の情報たるデジタルコンテンツ１０の各々の所定巡目のスクロール表示時に、前記所定巡目以前の情報とは異なる情報（デジタルコンテンツ）を記憶装置１０１より読み出して前記所定巡目以前の情報と入れ替えて表示する、表示変更処理部１１１を備える。
【００２５】
なお、前記表示変更処理部１１１は、前記スクロール表示時における表示巻き戻し指示を入力インターフェイス１０５から受け付けた際に、巻き戻し先のデジタルコンテンツを前記表示巻き戻し指示以前のものと異なるデジタルコンテンツと入れ替えて表示する処理を行うとしてもよい。
【００２６】
また、前記表示変更処理部１１１は、前記スクロール表示時における、あるデジタルコンテンツに対する詳細情報表示指示を入力インターフェイス１０５から受け付けた際に、前記のデジタルコンテンツを前記詳細情報表示指示以前のものと異なるデジタルコンテンツと入れ替えて表示するものとしてもよい。
【００２７】
更に、前記表示変更処理部１１１は、前記スクロール表示時における前記表示巻き戻し指示または前記詳細情報表示指示を入力インターフェイス１０５から受け付ける前に、前記スクロール表示の一時停止指示を入力インターフェイスから受け付けている場合、前記所定巡目以前のデジタルコンテンツとは異なるデジタルコンテンツとして前記所定巡目以前のデジタルコンテンツの詳細情報を記憶装置１０１より読み出すとしてもよい。
【００２８】
また、前記表示変更処理部１１１は、前記所定巡目以前のデジタルコンテンツとは異なるデジタルコンテンツを記憶装置１０１より読み出す際に、前記所定巡目以前のデジタルコンテンツと対応付けされたデジタルコンテンツを前記異なるデジタルコンテンツとして読み出すとしてもよい。
【００２９】
また、前記表示変更処理部１１１は、前記表示巻き戻し指示、前記詳細情報表示指示、および前記一時停止指示のいずれかを入力インターフェイス１０５から受け付けた頻度をカウントし、前記所定巡目以前のデジタルコンテンツとは異なるデジタルコンテンツを記憶装置１０１より読み出す際に、前記頻度に応じた詳細度のデジタルコンテンツを前記異なるデジタルコンテンツとして読み出すとしてもよい。
【００３０】
また、前記表示変更処理部１１１は、前記異なるデジタルコンテンツを前記所定巡目以前のデジタルコンテンツの少なくとも前後いずれかに追加表示するとしてもよい。具体的には、所定巡目以前のデジタルコンテンツの前後いずれかの時間枠に前記異なるデジタルコンテンツを設定し表示するのである。
【００３１】
また、前記装置１００は、前記表示画面１０６に表示された前記デジタルコンテンツの各々についてその一端１１が前記他方の表示端１０６ｂに到着したことを検知する検知処理部１１２を備えるとしてもよい。
【００３２】
また、前記装置１００は、前記到着が検知された場合、前記デジタルコンテンツの各々を、前記所定の移動速度から変化させた移動速度で表示させる速度変更処理部１１３を備えるとしてもよい。
【００３３】
なお、これまで示した装置１００における各機能部１１０〜１１３は、ハードウェアとして実現してもよいし、各種の不揮発性メモリなど適宜な記憶装置に格納したプログラムとして実現するとしてもよい。この場合、前記ＣＰＵ１０４がプログラム実行に合わせて記憶装置１０１より該当プログラムをメモリ１０３に読み出して、これを実行することとなる。
【００３４】
また、前記ネットワーク１４０に関しては、携帯電話網の他、インターネット、ＬＡＮなどの各種無線通信網、ＡＴＭ回線や専用回線、ＷＡＮ（Wide Area Network）、電灯線ネットワーク、公衆回線網など様々なネットワークを採用することも出来る。また、インターフェイスを採用した場合、ＶＰＮ（Virtual Private Network）など仮想専用ネットワーク技術を用いれば、セキュリティ性を高めた通信が確立され好適である。
【００３５】
−−−テーブル構造例−−−
次に、本実施形態における装置１００が利用するテーブルの構造について説明する。図２は本実施形態におけるコンテンツデータベース１２５のデータ構造例を示す図である。前記コンテンツデータベース１２５は、前記配信装置２００から配信されるデジタルコンテンツ１０を格納したデータベースである。このコンテンツデータベース１２５は、例えば、項番とコンテンツＩＤをキーに、コンテンツデータ、および表示フラグを関連づけたレコードの集合体となっている。前記項番はデジタルコンテンツ１０の表示順に対応しており、装置１００の表示画面１０６に表示される順序となる。また、前記表示フラグは、デジタルコンテンツ１０の表示／非表示を設定するフラグである。従って、前記装置１００は、前記項番に従ってデジタルコンテンツ１０を読み出して表示画面１０６に表示するが、その際に前記表示フラグが「表示」（本実施形態では“１”としている）のもののみを選んで表示する。つまり、前記表示フラグが「非表示」（本実施形態では“０”としている）のものはスキップしてしまう。
【００３６】
また、図３は、関連性データベース１２６のデータ構造例を示す図である。前記関連性データベース１２６は、デジタルコンテンツ間の関連性と詳細度の情報を格納するデータベースである。この関連性データベース１２６は、例えば、スクロール表示の一巡目で表示する通常のデジタルコンテンツのコンテンツＩＤをキーとして、このデジタルコンテンツに関連性があって対応付けされた前記異なるデジタルコンテンツのＩＤ、当該異なるデジタルコンテンツの詳細度（前記一巡目のデジタルコンテンツと比較してどれだけ詳細な情報なのか、或いは何巡目で表示すべきかを示す情報）といったデータを関連づけたレコードの集合体となっている。
【００３７】
−−−処理フロー例１−−−
以下、本実施形態における情報表示方法の実際手順について、図に基づき説明する。なお、以下で説明する情報表示方法に対応する各種動作のうち前記装置１００に関するものは、前記装置１００が記憶装置１０１からメモリ１０３に読み出して実行するプログラム１０２によって実現される。そして、このプログラム１０２は、以下に説明される各種の動作を行うためのコードから構成されている。
【００３８】
図４は、本実施形態の情報表示方法の処理手順例１を示す図である。また、図７は本実施形態における処理イメージ例１を示す図である。この実施例において、前記装置１００のスクロール表示処理部１１０は、前記コンテンツデータベース１２５から、例えば項番順にデジタルコンテンツ１０（例：前記表示フラグが“１”のもの）を次々に読み出して、前記表示画面１０６の一方の表示端１０６ａから他方の表示端１０６ｂへ所定の移動速度で繰り返し表示、つまりスクロール表示をさせる（ｓ１００）。このスクロール表示の例については図１１に示す。
【００３９】
このスクロール表示に際して前記装置１００の検知処理部１１２は、前記表示画面１０６に表示された前記デジタルコンテンツ１０の各々についてその一端１１が前記他方の表示端１０６ｂに到着したことを検知する。例えば、表示画面１０６の表示領域において、前記一方の表示端１０６ａの座標を（ａ、ｘａ）、他方の表示端１０６ｂの座標を（ｂ、ｘｂ）とすれば、前記デジタルコンテンツ（たる番組１）の一端１１のスクロール位置のｘ座標値が前記他方の表示端１０６ｂのｘ座標値の“ｂ”に達したことを以て、前記検知処理が可能である。
【００４０】
また、前記デジタルコンテンツの一端１１の前記他方の表示端１０６ｂへの到着が検知された場合、前記装置１００の速度変更処理部１１３は、前記デジタルコンテンツ１０の各々を、前記所定の移動速度から、例えば、より低速に変化させた移動速度で表示させる。こうした速度変更の処理を行うことで、利用者が見やすい位置までは素早くデジタルコンテンツを移動させる一方、その後は閲覧のための速度でスクロール表示を行うことで、利用者の使用感が優れたものとなる。また、前記デジタルコンテンツの他端１２が、表示画面１０６の所定位置（例：一方の表示端１０６ａ）に達したならば、スクロールの速度を前記所定の移動速度に戻し、次のデジタルコンテンツの迅速な登場を図ることもできる。
【００４１】
こうしてデジタルコンテンツ１０のスクロール表示が実行され、一巡したとする。この時、前記装置１００の表示変更処理部１１１は、前記デジタルコンテンツ１０の各々の２巡目のスクロール表示の到来を認識する（ｓ１０２）。このために装置１００は、各デジタルコンテンツ毎のスクロール表示の巡回数をカウントしていて（ｓ１０１）、メモリ１０３などにデジタルコンテンツＩＤに絡めて巡回数を記憶しているとする。つまり、この巡回数の値をチェックすれば何巡目のスクロール表示かを確認できる。なお、この例では、スクロール表示の２巡目の到来を認識するとしているが、勿論これに限定されることはなく、所定の巡回数のスクロール表示到来を検知し、その巡回時にデジタルコンテンツの入れ替えを実行するとしてもよい。
【００４２】
前記２巡目のスクロール表示の到来を認識した前記表示変更処理部１１１は、前記２巡目以前のデジタルコンテンツつまり一巡目のデジタルコンテンツとは異なるデジタルコンテンツ２０をコンテンツデータベース１２５より読み出す（ｓ１０３）。図７（ａ）の例では、前記デジタルコンテンツ１０として番組間で表示する広告（図中では“広告１”）を想定している。つまり、“広告１”から“広告Ａ”への広告データの入れ替え処理を行う訳である。この時、前記表示変更処理部１１１は、前記２巡目以前のデジタルコンテンツ１０（つまり１巡目のデジタルコンテンツ）と対応付けされたデジタルコンテンツを前記異なるデジタルコンテンツ２０として読み出すとしてもよい。この場合、前記関連性データベース１２６において、前記１巡目のデジタルコンテンツ１０のＩＤに対応付けされたデジタルコンテンツのＩＤを検索し、この検索で特定されたデジタルコンテンツのうち、例えば、項番が最も小さいものを選び出して前記異なるデジタルコンテンツ２０とすればよい。または、巡回数に応じた詳細度のデジタルコンテンツを関連性データベース１２６で特定し、前記異なるデジタルコンテンツ２０としてもよい。
【００４３】
或いは、前記１巡目のデジタルコンテンツに対応するコンテンツＩＤと最初の所定桁が同じコンテンツＩＤで（元々、関連性のあるデジタルコンテンツ同士において最初の所定桁分は共通名称とし、例えば末尾の通し番号で以て何巡目表示かを示している）、表示フラグが“０”（つまり今までは非表示）のもののうち、末尾の桁数が２巡目を示すもの（或いは最小のもの）を、前記表示変更処理部１１１は前記コンテンツデータベース１２５で検索し、これを前記異なるデジタルコンテンツ２０とするとしてもよい。
【００４４】
前記異なるデジタルコンテンツ２０を特定した前記表示変更処理部１１１は、前記１巡目のデジタルコンテンツ１０に代えて、前記異なるデジタルコンテンツ２０を表示すべく、前記コンテンツデータベース１２５における前記１巡目のデジタルコンテンツ１０（図７の例では“cm01001”なる「広告１」）に対応付いた表示フラグを“０”（非表示）に、前記異なるデジタルコンテンツ２０（図７の例では“cm01002”なる「広告Ａ」）の表示フラグを“１”（表示）に更新し（ｓ１０４）、２巡目のスクロール表示に際して前記デジタルコンテンツ１０に代えて前記異なるデジタルコンテンツ２０を表示させる（ｓ１０５）。
【００４５】
−−−処理フロー例２−−−
図５は、本実施形態の情報表示方法の処理手順例２を示す図である。また、図８は本実施形態における処理イメージ例２を示す図である。次に、前記スクロール表示時に、入力インターフェイス１０５を介して何らかの指示を受け付けた場合、前記装置１００が実行する処理について説明する。
【００４６】
ここで、前記表示変更処理部１１１は、前記スクロール表示の処理中に入力インターフェイス１０５から指示を受け付けて（ｓ２００）、その指示が何の指示かを認識する（ｓ２０１）。ここで認識できた指示が、一時停止指示であった場合（ｓ２０２：一時停止）、更なる指示の入力待ち状態となる（ｓ２０３）。この入力待ち状態の時に、表示巻き戻し指示または詳細情報表示指示を入力インターフェイス１０５から受け付けた場合（ｓ２０４）、前記異なるデジタルコンテンツ２０として前記１巡目のデジタルコンテンツ１０の詳細情報となる他のデジタルコンテンツを関連性データベース１２６にて検索する（ｓ２０５）。この場合、前記表示変更処理部１１１は、前記関連性データベース１２６において、前記１巡目のデジタルコンテンツ１０のＩＤに対応付けされたデジタルコンテンツのＩＤを検索し、この検索で特定されたデジタルコンテンツのうち、例えば、前記一時停止指示を受けた時点での巡回数またはその次の巡回数に応じた詳細度のデジタルコンテンツを特定し、前記異なるデジタルコンテンツ２０とする。
【００４７】
前記異なるデジタルコンテンツ２０を検索した表示変更処理部１１１は、該当デジタルコンテンツ２０を前記コンテンツデータベース１２５から読み出し（ｓ２０６）、上記処理フロー例１と同様にスクロール表示時におけるコンテンツ入れ替え表示処理を実行する（ｓ２０７）（勿論、コンテンツデータベース１２５における表示フラグの書換も同様に実行する）。
【００４８】
一方、前記表示変更処理部１１１は、前記ステップｓ２０１の処理で認識した指示が、一時停止指示ではなく表示巻き戻し指示であった場合（ｓ２０２：巻き戻し）、巻き戻し先の枠で表示していたデジタルコンテンツを前記表示巻き戻し指示以前のものと異なるデジタルコンテンツ２０と入れ替えて表示する処理を行う（ｓ２０８）。前記異なるデジタルコンテンツ２０の検索・特定処理については上述のステップｓ２０５などと同様である。
【００４９】
他方、前記表示変更処理部１１１は、前記ステップｓ２０１の処理で認識した指示が、あるデジタルコンテンツ１０に対する詳細情報表示指示であった場合（ｓ２０２：詳細）、前記のデジタルコンテンツ１０を当該デジタルコンテンツ１０の詳細化を図った異なるデジタルコンテンツ２０に入れ替えて表示する（ｓ２０９）。詳細化を図った前記異なるデジタルコンテンツ２０の検索・特定処理については上述のステップｓ２０５などと同様である。
【００５０】
なお、前記表示変更処理部１１１は、前記表示巻き戻し指示、前記詳細情報表示指示、および前記一時停止指示のいずれかを入力インターフェイス１０５から受け付けた頻度をカウントし、前記所定巡目以前のデジタルコンテンツとは異なるデジタルコンテンツを記憶装置１０１より読み出す際に、前記頻度に応じた詳細度のデジタルコンテンツを前記異なるデジタルコンテンツ２０として読み出すとしてもよい。
【００５１】
−−−処理フロー例３−−−
図６は、本実施形態の情報表示方法の処理手順例３を示す図である。また、図９は本実施形態における処理イメージ例３を示す図である。所定巡目のデジタルコンテンツ１０に代えて、前記異なるデジタルコンテンツ２０をスクロール表示に登場させる、という上記処理フロー例１、２の他に、前記デジタルコンテンツ１０の前または後に前記異なるデジタルコンテンツ２０を表示させるとしてもよい。
【００５２】
この場合、前記表示変更処理部１１１は、所定巡目のスクロール表示の到来や入力インターフェイス１０５を通じての各種指示を認識し（ｓ３００）、前記異なるデジタルコンテンツ２０をコンテンツデータベース１２５より読み出す（ｓ３０１）。図９の例では、巻き戻し指示を入力インターフェイス１０５で受け付けた際の処理について示している。また前記表示変更処理部１１１は、前記コンテンツデータベース１２５における前記デジタルコンテンツ１０に対応付いた表示フラグは“１”（表示）のままとし、前記異なるデジタルコンテンツ２０の表示フラグを“１”（表示）に更新する（ｓ３０２）。前記コンテンツデータベース１２５において、前記異なるデジタルコンテンツ２０のＩＤが前記デジタルコンテンツ１０のＩＤに対応付いた項番の直前または直後の適宜な位置に無かった場合は、前記異なるデジタルコンテンツ２０のＩＤを前記デジタルコンテンツ１０の項番の前後に割り込ませる。
【００５３】
こうした処理を実行した前記表示変更処理部１１１は、前記デジタルコンテンツ１０（例えば、１巡目のデジタルコンテンツ）の前または後に、前記異なるデジタルコンテンツ２０を表示させる（ｓ３０３）。
【００５４】
本実施形態によれば、広告等のコンテンツの露出量維持とユーザの良好な利便性とを両立できる。
【００５５】
以上、本発明の実施の形態について、その実施の形態に基づき具体的に説明したが、これに限定されるものではなく、その要旨を逸脱しない範囲で種々変更可能である。
【図面の簡単な説明】
【００５６】
【図１】本実施形態における情報表示装置を含むネットワーク構成図である。
【図２】本実施形態のコンテンツデータベースのデータ構造例を示す図である。
【図３】本実施形態の関連性データベースのデータ構造例を示す図である。
【図４】本実施形態の情報表示方法の処理手順例１を示す図である。
【図５】本実施形態の情報表示方法の処理手順例２を示す図である。
【図６】本実施形態の情報表示方法の処理手順例３を示す図である。
【図７】本実施形態における処理イメージ例１を示す図である。
【図８】本実施形態における処理イメージ例２を示す図である。
【図９】本実施形態における処理イメージ例３を示す図である。
【図１０】本実施形態における繰り返し表示のイメージを示す図である。
【図１１】本実施形態におけるスクロール表示例を示す図である。
【符号の説明】
【００５７】
１０  配信装置から配信される複数の情報（デジタルコンテンツ）
１１  デジタルコンテンツの一端
１２  所定巡目以前の情報
１３  所定巡目以前の情報とは異なる情報
１００  情報表示装置（携帯電話機）
１０１  記憶装置
１０２  プログラム
１０３  メモリ
１０４  ＣＰＵ
１０５  入力インターフェイス
１０６  出力インターフェイス（表示画面）
１０６ａ  （表示画面の）一方の表示端
１０６ｂ  （表示画面の）他方の表示端
１０７  通信装置
１１０  スクロール表示処理部
１１１  表示変更処理部
１１２  検知処理部
１１３  速度変更処理部
１２５  コンテンツデータベース
１２６  関連性データベース
１４０  ネットワーク
２００  配信装置
【図１】
0004848321.tif 000002
【図２】
0004848321.tif 000003
【図３】
0004848321.tif 000004
【図４】
0004848321.tif 000005
【図５】
0004848321.tif 000006
【図６】
0004848321.tif 000007
【図７】
0004848321.tif 000008
【図８】
0004848321.tif 000009
【図９】
0004848321.tif 000010
【図１１】
0004848321.tif 000011
【図１０】
0004848321.tif 000012